(57)【要約】      （修正有）【課題】複数の身体データを測定できる携帯電話の提供。【解決手段】携帯電話本体、その内部には回路装置が設置されている。また、当該携帯電話本体にはセンサーを少なくとも一つ設置し、身体データの測定に用いられ、利用者が利用するときの接触するところに設置されている。当該センサーが手と接触すると、測定が開始し、その後、測定済のデータが当該回路装置に転送される。当該回路装置はデータを受け取ってからディスプレイ装置を通して携帯電話のディスプレイに表示する。これにより、使用者は携帯電話を使用すると同時に、自然で簡単に複数の身体データを測定することが可能になる。【選択図】図１
0003132791.tif 000002
【実用新案登録請求の範囲】
【請求項１】
携帯電話本体を含み、その内部には少なくとも一つの回路装置が設置され、また、前記携帯電話本体にはセンサーを一つ以上設置し、当該センサーは身体データの測定に用いられるもので、利用者が利用するときに手で接触するところに設置され、手で当該センサーに接触すると、計測が開始し、測定済のデータが当該回路装置に転送され、当該回路装置はそのデータを携帯電話のディスプレイに表示し、これにより、携帯電話を使用すると同時に、自然で簡単に複数の身体データを測定できることを特徴とする複数の身体データを測定できる携帯電話。
【請求項２】
当該センサーは、特に体温センサー、体脂肪センサーまたは心拍数センサーを指していることを特徴とする請求項１に記載の複数の身体データを測定できる携帯電話。
【請求項３】
当該回路装置にはデータカードを含み、データカード経由でデータをネットワークに転送することを特徴とする請求項２に記載の複数の身体データを測定できる携帯電話。
【請求項４】
さらに腕ベルトを含み、当該腕ベルトの内部に取り付けられた血圧センサーは測定済の血圧値を有線または無線の方式で携帯電話本体内部の回路装置に転送することを特徴とする請求項１、２、３に記載の複数の身体データを測定できる携帯電話。
【考案の詳細な説明】
【技術分野】
【０００１】
本考案は主に携帯電話であり、特に複数の身体データを測定できる携帯電話を指す。
【背景技術】
【０００２】
ますます情報化が進められてきた今頃、携帯電話はすでに日常生活で不可欠な存在になっている。人間は毎日たくさんの時間を使い携帯電話で話し、携帯電話は毎日必ず使う日常用品とも言える。一方、医学の進歩につれ、治療できない病気は数少なくなってきた今頃、日常生活で常に自分の健康を注意して、各身体データの変化の裏に潜められている情報を読み取れば、早めに病気を発見できるし、病気の完治にも役に立つ。
【０００３】
上述の携帯電話及び健康の関係から考えれば、携帯電話は毎日必ず接触するものであるため、携帯電話を各身体データの監視に活用すれば、人間は毎日自分の健康状況を効率的に知ることができる上に、常に自分の健康を注意することもできる。
本考案はこれらの特徴を利用して、簡単かつ便利な状況において、常に自分自身の健康を注意できる措置を提案する。
【考案の開示】
【考案が解決しようとする課題】
【０００４】
本考案は複数の身体データを測定できる携帯電話であり、その中には以下が含まれる。携帯電話本体、その内部には回路装置が設置されている。また、当該携帯電話本体にはセンサーを一つ以上設置し、身体データの測定に用いられ、利用者が利用するときの接触するところに設置されている。当該センサーが手と接触すると、測定が開始し、その後、測定済のデータが当該回路装置に転送される。当該回路装置はデータを受け取ってからディスプレイを通して携帯電話のディスプレイに表示する。これにより、使用者は携帯電話を使用すると同時に、自然で同時に身体の調子を分ることができる。
【０００５】
上述の複数の身体データを測定できる携帯電話は従来の携帯電話より複数の身体データを測定する機能がついている。利用者が携帯電話を使うと同時に、自然で簡単に複数の身体データを測定することが可能である。以下は具体的な実施例で詳しく説明し、本考案の技術的な特徴を一層理解できると思う。
【課題を解決するための手段】
【０００６】
請求項１の考案は、携帯電話本体を含み、その内部には少なくとも1つの回路装置が設置され、また、前記携帯電話本体にはセンサーを一つ以上設置し、当該センサーは身体データの測定に用いられるもので、利用者が利用するときに手で接触するところに設置され、手で当該センサーに接触すると、計測が開始し、測定済のデータが当該回路装置に転送され、当該回路装置はそのデータを携帯電話のディスプレイに表示し、これにより、携帯電話を使用すると同時に、自然で簡単に複数の身体データを測定できることを特徴とする複数の身体データを測定できる携帯電話としている。
請求項２の考案は、当該センサーは、特に体温センサー、体脂肪センサーまたは心拍数センサーを指していることを特徴とする請求項1に記載の複数の身体データを測定できる携帯電話としている。
請求項３の考案は、当該回路装置にはデータカードを含み、データカード経由でデータをネットワークに転送することを特徴とする請求項2に記載の複数の身体データを測定できる携帯電話としている。
請求項４の考案は、さらに腕ベルトを含み、当該腕ベルトの内部に取り付けられた血圧センサーは測定済の血圧値を有線または無線の方式で携帯電話本体内部の回路装置に転送することを特徴とする請求項１、２、３に記載の複数の身体データを測定できる携帯電話としている。
【考案の効果】
【０００７】
本考案は複数の身体データを測定できる携帯電話であり、その中には以下が含まれる。携帯電話本体、その内部には回路装置が設置されている。また、当該携帯電話本体にはセンサーを少なくとも一つ設置し、身体データの測定に用いられ、利用者が利用するときの接触するところに設置されている。当該センサーが手と接触すると、測定が開始し、その後、測定済のデータが当該回路装置に転送される。当該回路装置はデータを受け取ってからディスプレイ装置を通して携帯電話のディスプレイに表示する。これにより、使用者は携帯電話を使用すると同時に、自然で簡単に複数の身体データを測定することが可能になる。
【考案を実施するための最良の形態】
【０００８】
図１〜図２を参照すること。本考案は複数の身体データを測定できる携帯電話を提案する。その中には以下が含まれる。携帯電話本体(1)一つがあり、且つその内部に回路装置(11)が設置されている。また、前記携帯電話本体(1)にはセンサー(13)およびセンサー(14)を設置する。当該センサー(13)(14)は身体データの測定に用いられ、利用者が利用するときの接触するところに設置されている。当該センサー(13)(14)が手と接触すると、測定が開始し、測定済のデータが前記回路装置(11)に転送される。当該回路装置(11)はデータを受け取ってから携帯電話ディスプレイ(12)に表示する。これにより、利用者は携帯電話を使用すると同時に、自然に今の健康調子を分ることができる。
【０００９】
上記センサー(13)(14)は特に体温センサー、体脂肪センサーまたは心拍数センサーを指している。本実施例において、体温、体脂肪及び心拍数を同時に計測可能なセンサー(13)を利用する。但し、当該センサー(13)は心拍数を計測するには正確性がやや低いため、心拍数計測専用のセンサー(14)が追加設置される。また、当該携帯電話本体(1)には腕ベルト(15)が設置されており、その内部に血圧センサー(151)およびポンプ(152)が設けられている。当該腕ベルト(15)は空気入れ式の腕ベルトであり、血液の流れを止める方法で血圧を測定する。測定済の血圧値は有線または無線の方式で当該回路装置(11)に転送される。
【００１０】
本考案の回路系統を説明する図２を参照すること。本考案は前記携帯電話本体(1)及び、腕ベルト(15)の内部に三つのセンサーを設置する。その機能及び動作の流れは以下の通りである、
1. 前記センサー(14)を指で触れた後、これにより計測した心拍数は信号拡大回路(111)経由で主制御IC (113)に転送される。
2. 当該血圧センサー(151)が腕と接触した後信号が発生し、信号拡大回路(111)及びD/A変換回路(112)経由で主制御IC (113)に転送する。当該主制御IC (113)は信号を受け取ってから他形式の信号を発して血圧空気入れ出し制御回路(116)経由でポンプ(152)に転送する。当該ポンプ(152)は信号を受信してから直ちに動作を開始する。当該血圧センサー(151)はその計測した血圧値を信号拡大回路(111)及びD/A変換回路(112)経由で主要制御IC (113)に転送する。
3. 当該センサー(13)を指で接触した後はその計測した体温および体脂肪を信号拡大回路(111)およびD/A変換回路(112)経由で主制御IC (113)に転送する。
4. 主制御IC (113)はこれによって受け取ったデータを表示回路(114)経由で当該携帯電話ディスプレイ(12)に表示する。または、データカード(117)経由で直接にネットワークデータベース(2)にアップロードすることもできる。
5. 当該回路装置(11)にはいくつの制御ボタン(115)が設けられ、各設定の操作に用いることができる。
【００１１】
以上の数個実施例はあくまでも本考案の原理及び効果を説明するものであり、本考案を限定するものではない。当分野の技術を熟知する方々であれば、前述の実施例に対する修正や変更については本考案の精神に属すべきである。本考案は産業上の利用性、新規性及び発展性を持っており、実用新案の要件を満たしているため、法律に従い、出願させていただく。
【図面の簡単な説明】
【００１２】
【図１】本考案の立体図である。
【図２】本考案の回路系統図である。
【符号の説明】
【００１３】
(1) 携帯電話本体
(11) 回路装置
(111) 信号拡大回路
(112) D/A変換回路
(113) 主制御IC
(114) 表示回路
(115) 制御ボタン
(116) 血圧空気入れ出し制御回路
(117) データカード
(12) 携帯電話ディスプレイ
(13) センサー
(14) センサー
(15) 腕ベルト
(151) 血圧センサー
(152) ポンプ
(2) ネットワークデータベース
【図１】
0003132791.tif 000003
【図２】
0003132791.tif 000004